(57)【要約】【課題】簡易な仕組みで三相回路の相を正確に識別することができる三相回路の相名識別システムを得る。【解決手段】受変電設備１００に、検相用インピーダンス６３および電気測定器５１を設ける。検相用インピーダンス６３は、三相交流式配電線Ｆ１１の第１の位置に所定のタイミングで所定の相に接続される。電気測定器５１は、第１の位置とは異なる三相交流式配電線Ｆ１１の第２の位置に接続される。そして、電気測定器５１は、検相用インピーダンス６３が接続される前の第１の電気量を検出するとともに、検相用インピーダンス６３が接続された後の第２の電気量を検出する。【選択図】        図１
2004257795.tif 000002
【特許請求の範囲】
【請求項１】
三相交流式配電線の第１の位置に所定のタイミングで所定の相に接続される検相用インピーダンスと、
前記第１の位置とは異なる前記三相交流式配電線の第２の位置に接続され、前記検相用インピーダンスが接続される前の第１の電気量を検出するとともに、前記検相用インピーダンスが接続された後の第２の電気量を検出する電気測定器と
を備えたことを特徴とする三相回路の相名識別システム。
【請求項２】
電波送信局から発信された標準時間電波を受信する第１の受信機と、
前記第１の受信機からの標準時間電波に基づく特定のタイミングで、三相交流式配電線の第１の位置に設けられた検相用インピーダンスを所定の相に接続するインピーダンス投入器と、
前記電波送信局から発信された標準時間電波を受信する第２の受信機と、
前記第１の位置とは異なる前記三相交流式配電線の複数の第２の位置に接続され、かつ、前記第２の受信機からの標準時間電波に基づく特定のタインミングで前記検相用インピーダンスが接続されることにより生じる電気量を前記検相用インピーダンスの接続と同時期に検出する複数の電気測定器と、
前記複数の電気計測器が同時期に検出した複数の検出結果、および前記特定のタイミングに用いられた標準時間電波があらわす標準時間を出力する出力手段と
を備えたことを特徴とする三相回路の相名識別システム。
【請求項３】
三相交流式配電線の第１の位置に所定のタイミングで所定の相に接続される検相用インピーダンスと、
前記検相用インピーダンスが接続されたことにより発生する零相電圧、零相電流のうち少なくとも一つの電気量を検出する零相電気量検出装置と、
前記第１の位置とは異なる前記三相交流式配電線の複数の第２の位置に接続され、かつ、前記零相電気量検出装置が検出した電気量に基づく特定のタイミングで前記検相用インピーダンスが接続されることにより生じる電気量を同時期に検出する複数の電気測定器と、
前記複数の電気計測器が同時期に検出した複数の検出結果を出力する出力手段と
を備えたことを特徴とする三相回路の相名識別システム。
【請求項４】
電波送信局から発信された標準時間電波を受信する第１の受信機と、
前記第１の受信機からの標準時間電波に基づく特定のタイミングで、三相交流式配電線の第１の位置に設けられた検相用インピーダンスを所定の相に接続するインピーダンス投入器と、
前記電波送信局から発信された標準時間電波を受信する第２の受信機と、
前記検相用インピーダンスが接続されたことにより発生する零相電圧、零相電流のうち少なくとも一つの電気量を検出する零相電気量検出装置と、
前記第１の位置とは異なる前記三相交流式配電線の複数の第２の位置に接続され、かつ、前記第２の受信機からの標準時間電波および前記零相電気量検出装置が検出した電気量の双方に基づく特定のタイミングで前記検相用インピーダンスが接続されることにより生じる電気量を検相用インピーダンスの接続と同時期に検出する複数の電気測定器と、
前記複数の電気計測器が同時期に検出した複数の検出結果、および前記特定のタイミングに用いられた標準時間電波があらわす標準時間を出力する出力手段と
を備えたことを特徴とする三相回路の相名識別システム。
【請求項５】
三相交流式配電線の第１の位置に所定のタイミングで検相用インピーダンスを所定の相に接続するステップと、
前記第１の位置とは異なる前記三相交流式配電線の第２の位置で、前記検相用インピーダンスが接続される前の第１の電気量を検出するとともに、前記検相用インピーダンスが接続された後の第２の電気量を検出するステップと
を含むことを特徴とする三相回路の相名識別方法。
【請求項６】
電波送信局から発信された標準時間電波を受信する受信ステップと、
前記受信された標準時間電波に基づく特定のタイミングで、三相交流式配電線の第１の位置に設けられた検相用インピーダンスを所定の相に接続するステップと、
前記第１の位置とは異なる前記三相交流式配電線の複数の第２の位置で、前記受信された標準時間電波に基づく特定のタイミングで前記検相用インピーダンスが接続されることにより生じる電気量を検相用インピーダンスの接続と同時期に検出するステップと、
前記同時期に検出された複数の検出結果、および前記特定のタイミングに用いられた標準時間電波があらわす標準時間を出力するステップと
を含むことを特徴とする三相回路の相名識別方法。
【請求項７】
三相交流式配電線の第１の位置に所定のタイミングで所定の相に検相用インピーダンスを接続するステップと、
前記検相用インピーダンスが接続されたことにより発生する零相電圧、零相電流のうち少なくとも一つの電気量を検出するステップと、
前記第１の位置とは異なる前記三相交流式配電線の複数の第２の位置で、前記検出された電気量に基づく特定のタイミングで前記検相用インピーダンスが接続されることにより生じる電気量を同時期に検出するステップと、
前記同時期に検出された複数の検出結果を出力するステップと
を含むことを特徴とする三相回路の相名識別方法。
【請求項８】
電波送信局から発信された標準時間電波を受信する受信ステップと、
前記受信された標準時間電波に基づく特定のタイミングで、三相交流式配電線の第１の位置に設けられた検相用インピーダンスを所定の相に接続するステップと、
前記検相用インピーダンスが接続されたことにより発生する零相電圧、零相電流のうち少なくとも一つの電気量を検出するステップと、
前記第１の位置とは異なる前記三相交流式配電線の複数の第２の位置で、前記第２の受信ステップで受信された標準時間電波および前記検出された電気量の双方に基づく特定のタイミングで前記検相用インピーダンスが接続されることにより生じる電気量を検相用インピーダンスの接続と同時期に検出するステップと、前記同時期に検出された複数の検出結果、および前記特定のタイミングに用いられた標準時間電波があらわす標準時間を出力するステップと
を含むことを特徴とする三相回路の相名識別方法。
【発明の詳細な説明】
【０００１】
【発明の属する技術分野】
この発明は、三相回路の相を識別するための三相回路の相名識別システムおよびその相名識別方法に関するものである。
【０００２】
【従来の技術】
従来の装置においては、フリッカーリレー回路と、このフリッカーリレー回路中のリレーの作動により開閉するリレー接点及びこれに直列接続された抵抗よりなる検査抵抗回路とが検査端子に並列に接続されている（例えば、特許文献１参照）。
【０００３】
【特許文献１】
特開昭５４−８５３９１号公報（第１頁、図１）
【０００４】
【発明が解決しようとする課題】
従来の装置では、電気設備のある負荷端の電線路に接続されたフリッカーリレー回路中のリレーを断続的に作動させながら、他方の負荷端の電線路の電流を測定することにより、これら各負荷端の相が同相かどうかを識別していた。
【０００５】
しかしながら、上述した相を識別するために、フリッカーリレー回路を専用に設けなければならないという不都合があった。フリッカーリレー回路というのは、開閉器やコンデンサなどの機器と異なり、電気設備には通常設置されていないものである。
【０００６】
この発明は、上述のような課題を解決するためになされたもので、その目的は、簡易な仕組みで三相回路の相の識別を正確におこなうことができる三相回路の相名識別システムおよびその相名識別方法を得るものである。
【０００７】
【課題を解決するための手段】
この発明に係る三相回路の相名識別システムにおいては、検相用インピーダンスおよび電気測定器を設ける。検相用インピーダンスは、三相交流式配電線の第１の位置に所定のタイミングで所定の相に接続される。電気測定器は、第１の位置とは異なる三相交流式配電線の第２の位置に接続される。そして、電気測定器は、上記検相用インピーダンスが接続される前の第１の電気量を検出するとともに、上記検相用インピーダンスが接続された後の第２の電気量を検出するものである。
【０００８】
【発明の実施の形態】
実施の形態１．
図１は、この発明の実施の形態１に係る三相回路の相名識別システムの構成を示す図である。図２は、この発明の実施の形態１に係る検相用インピーダンスの具体例を示す図である。なお以下、同図中、同一符号は同一部分または相当部分を指す。
【０００９】
図１において、受配電設備１００では、配電用変電所の受電線１から交流電源を引き込んでいる。この引き込みは、例えば、三相三線の１回線引き込み方式である。なお以下、三相のうち、第一相をＡ相と、第二相をＢ相と、第三相をＣ相とそれぞれ呼ぶ。
【００１０】
受電線１は、受電遮断器２を介して配電用変圧器３と接続されている。配電用変圧器３では、受電電圧を所定の電圧に降圧する。配電用変圧器３は、変圧器２次遮断器４を介して高圧母線５と接続されている。
【００１１】
複数の配電遮断器（ＦＣＢ）７は、高圧母線５にそれぞれ接続されている。そして、各配電遮断器７の２次側には、変流器（ＣＴ）８を介して保護リレー９および計測器１０が設けられている。計測器１０は、例えば、電流計や力率計である。
【００１２】
また、図１では、電気測定器５０が、三相交流式配電線Ｆ１１の第２の位置に接続されている。第２の位置は、例えば、計測器１０が設けられた位置である。これは、図１に示すように、検相用インピーダンス６３が接続される三相交流式配電線Ｆ２１の第１の位置と異なる。なお以下、第１の位置というときは、検相用インピーダンス６３の接続点を意味し、第２の位置というときは、電気測定器の検出点を意味する。
【００１３】
電気測定器５０は、検相用インピーダンス６３が接続される前の第１の電気量（例えば、電流、力率角）を検出するとともに、検相用インピーダンス６３が接続されることにより生じる第２の電気量を検出する。たとえば電流測定器や力率角測定器がこれに該当する。ただし、設備規模などの設備環境に応じてこれを変更することは可能である。たとえば消費電力計であってもよい。なお以下、電気測定器というときは、電流測定器や力率角測定器を指す。
【００１４】
各配電遮断器７は、図１に示すように、配電線Ｆ１１及びＦ２１の第一線路開閉器３０、４０、および配電線Ｆ１１及びＦ２１の第二線路開閉器３１、４１とそれぞれ接続されている。
【００１５】
ではここで、配電線Ｆ１１の第一線路開閉器３０および第二線路開閉器３１について説明していく。なお、配電線Ｆ２１の第一線路開閉器４０および第二線路開閉器４１は、それぞれ上記配電線Ｆ１１の第一線路開閉器３０および第二線路開閉器３１と同様であるため、重複説明を省略する。
【００１６】
第一線路開閉器３０について説明する。第一線路開閉器３０には、電源側開閉器３０１および負荷側開閉器３０２が設けられている。
【００１７】
電源側開閉器３０１および負荷側開閉器３０２は、通常「閉」の状態でそれぞれ運用されている。図１の「ＮＣ（Ｎｏｒｍａｌ  Ｃｌｏｓｅ）」は、このことを意味する。
【００１８】
電源側開閉器３０１側には、計器用変圧器（ＶＴ）３０３、変流器（ＣＴ）３０４、保護リレー３０５、計測器３０６および負荷分岐線３０７が設けられている。
【００１９】
同様に、第一線路開閉器３０の負荷側開閉器３０２側にも、計器用変圧器（ＶＴ）３０８、変流器（ＣＴ）３０９、保護リレー３１０、計測器３１１および負荷分岐線３１２が設けられている。
【００２０】
そして第一線路開閉器３０には、その電源側開閉器３０１側および負荷側開閉器３０２側に、電気測定器５１および５２がそれぞれ設けられている。
【００２１】
第二線路開閉器３１について説明する。第二線路開閉器３１は、第一線路開閉器３０と同様の構成である。図１に示すように、この第二線路開閉器３１にも、電気測定器５３および５４が設けられている。
【００２２】
さらに詳述する。図１において、配電線Ｆ１１については、第一区間１１、第二区間１２、第三区間１３の３区間がある。一方、配電線Ｆ２１については、図１に示すように、第一区間２１、第二区間２２の２区間がある。
【００２３】
なお、図１において、配電線Ｆ２１の第二線路開閉器４１の負荷側開閉器４１２は、通常「開」の状態で運用されている。図１の「ＮＯ（Ｎｏｒｍａｌ  Ｏｐｅｎ）」は、このことを意味する。したがって電気的に、配電線Ｆ１１と配電線Ｆ２１とは分離されている。
【００２４】
図１では、検相用インピーダンス６３が、三相交流式配電線Ｆ２１の第１の位置に所定のタイミングで所定の相に接続される。第１の位置は、例えば、第二線路開閉器４１の負荷側開閉器４１２の負荷側（２次側）である（図１）。
【００２５】
検相用インピーダンス６３は、開閉器６２および接続導線６１を通じて接続される。検相用インピーダンス６３というのは、抵抗や、コンデンサ、リアクトルにより構成されるインピーダンスである。
【００２６】
図２に、検相用インピーダンスの例を示す。図２では、抵抗方式、キャパシタ方式、リアクトル方式の３方式が例示されている。
【００２７】
抵抗方式では、たとえば、定格電圧６６００Ｖ、電流５Ａ、抵抗１３２０Ωなどの仕様が挙げられている。キャパシタ方式では、たとえば、定格電圧６６００Ｖ、容量３０ＫＶＡなどの仕様が挙げられている。リアクトル方式では、定格電圧６６００Ｖ、容量３０ＫＶＡなどの仕様が挙げられている。
【００２８】
このように検相用インピーダンス６３は、各種の方式が準備される。いずれの方式を採用するかは、入手価値、市場性、取り扱い易さなどの条件に応じて自在に選定することが可能である。
【００２９】
ここで、上述した検相用インピーダンス６３の接続点は、図１に示した受変電設備１００では、各電気測定器５０、５１、５２、５３、５４が設けられた測定点から末端の位置に存在する。
【００３０】
なお、図１では、検相用インピーダンス６３は接地されている。検相用インピーダンス６３の接続点は、これに限られることなく検出環境に応じて変更することが可能である。
【００３１】
つぎに、この実施の形態１に係る三相回路の相名識別システムの使用方法について図１を参照しながら説明する。ここでは、上述した第１の位置（検相用インピーダンス６３の接続点）が、図１に示した配電線Ｆ２１上のＡ相である場合を想定して話を進める。この場合、接続導線６１が、配電線Ｆ２１のＡ相に接続する。
【００３２】
図１において、まず投入者が、開閉器６２を投入すると、そのタイミングで、検相用インピーダンス６３が配電線Ｆ２１の第１の位置に所定の相（例えば、Ａ相）に接続される。すると、検相用インピーダンス６３の大きさに従って負荷電流が変化する。この負荷電流は、第二線路開閉器３１および第一線路開閉器３０、それから配電用遮断器７へも流れる。
【００３３】
この開閉器６２の投入後、投入者が、例えば、電気測定器５０や、５１、５２、５３、５４を用いて、検相用インピーダンス６３を接続した後の第２の電気量（例えば、電流や力率角）を相ごとに検出する。なお、投入者は、検相用インピーダンス６３が接続される前の第１の電気量（例えば、電流や力率角）についても、電気測定器５０や、５１、５２、５３、５４を用いて相ごとに検出している。
【００３４】
このようにすると、開閉器６２の投入前後において、電流値や力率角が変化するので、複数の電気測定器５０、５１、５２、５３、５４の検出結果により、複数の検出点（複数の第２の位置）の相が、検相用インピーダンス６３の接続点（第１の位置）の相と同相かどうかを識別することができる。たとえば、ある電気測定器で検出した電流値や力率角が、開閉器６２の投入後に変化した場合、その相は、接続点の相と同相（例えば、Ａ相）であると識別できる。
【００３５】
たとえば、検相用インピーダンス６３がキャパシタ方式の場合、これが配電線Ｆ２１のある相に接続されると、接続後、その相については力率角の変化が比較的大きくなる。
【００３６】
具体例で説明する。たとえば、配電線Ｆ１１系統の負荷電流が２００Ａ（１３２０ＫＶＡ／相）で、力率角が遅れ３０度であった場合に、検相用インピーダンス６３として、容量３０ＫＶＡ（ＫＶＡＲ）のキャパシタを使用したときを想定する。この場合、そのキャパシタが接続されることにより、力率角は、遅れ３０度から約２８．３度に変化する。
【００３７】
また同様の条件で、検相用インピーダンス６３として、容量５０ＫＶＡ（ＫＶＡＲ）のキャパシタを使用した場合には、力率角は約２７．４度に変化する。
【００３８】
ここで、複数の検出点で電気量を検出するのは、例えば、検出点側の配電線Ｆ１１がねじれている場合もあるからである。
【００３９】
このようにすると、三相回路の相の識別を簡易な仕組みで正確におこなうことができる。たとえば、三相の各相が平衡状態にある状況にあっても、検相用インピーダンス６３を所定の相に接続するので、その相の識別判断が比較的おこない易くなる。
【００４０】
なお、図１では、受変電設備１００の場合で説明したが、これに限られることなく、設備環境に応じて自在に変更することが可能である。たとえば、低圧動力設備などの三相回路の負荷設備の場合においてもこの実施の形態１と同様の効果を得ることができる。
【００４１】
実施の形態２．
この発明の実施の形態２に係る三相回路の相名識別システムについて図面を参照しながら説明する。図３は、この発明の実施の形態２に係る三相回路の相名識別システムの検相用インピーダンスの接続点側の構成を示す図である。図４は、この発明の実施の形態２に係る三相回路の相名識別システムの電気測定器の検出点側の構成を示す図である。なお、実施の形態１と同一符号の部分については、重複説明を適宜省略する。
【００４２】
この発明の実施の形態２に係る三相回路の相名識別システムは、検相用インピーダンス６３の接続、および複数の電気測定器５０、５１、５２、５３、５４の検出のタイミングに標準時間電波をそれぞれ用いるというものである。以下、具体的に説明する。
【００４３】
まず、検相用インピーダンス６３の接続点側の構成について図３を参照しながら説明する。図３に示す検相用インピーダンス６３の接続点側では、第１の受信機１０２、プリント編集装置１０３、インピーダンス投入装置１０４、電流測定器１０５、およびプリンタ１０６が設けられている。
【００４４】
第１の受信機１０２は、標準時間電波１０１を受信する。この標準時間電波１０１は、標準時間（標準時刻）をあらわすもので、公知の電波送信局（不図示）から連続的に発信されているものである。
【００４５】
プリント編集装置１０３は、プリント出力するために所定の情報を編集するためのものである。たとえばパソコンがこれに該当する。図３では、標準時間電波１０１があらわす標準時間や、電流測定器１０５が測定した電流を編集するために活用されている。
【００４６】
インピーダンス投入装置１０４は、第１の受信機１０２からの標準時間電波１０１に基づく特定のタイミングで、三相交流式配電線Ｆ２１の第１の位置に設けられた検相用インピーダンス６３を所定の相（例えば、Ａ相）に接続するようになっている。つまり、その接続のタイミングとして、上述した標準時間電波１０１を用いている。
【００４７】
たとえば、標準時間電波１０１があらわす標準時間がある特定の時間になると、インピーダンス投入装置１０４では、検相用インピーダンス６３を投入するように設定されている。
【００４８】
なお、図３では、検相用インピーダンス６３の接続点（第１の位置）は、図１の場合と同じ箇所を想定している。この場合、インピーダンス投入装置１０４は、開閉器６２を投入して検相用インピーダンス６３を配電線Ｆ２１上に所定の相に接続させる。ただし、第二線路開閉器４１の負荷側開閉器４１２は「開路」であるため、検相用インピーダンス６３の影響は、Ｆ１１側に発生する。
【００４９】
電流測定器１０５は、検相用インピーダンス６３の接続点における三相回路の負荷電流を相ごとに検出するためのものである。
【００５０】
つぎに、電気測定器の検出点側の構成について図４を参照しながら説明する。図４に示す検出点側では、第２の受信機１０２、出力手段としてのプリント編集装置１０３、および出力手段としてのプリンタ１０６が設けられている。また、この検出点側では、図１に示したように、複数の電気測定器５０、５１、５２、５３、５４が複数の第２の位置に設けられている。
【００５１】
第２の受信機１０２は、上述した電波送信局から発信された標準時間電波１０１を受信するためのものである。
【００５２】
プリント編集装置（出力手段）１０３は、プリント出力するために所定の情報を編集するためのものである。プリンタ１０６は、所定の情報を所定の記録用紙に記録するためのものである。
【００５３】
その他の構成は、実施の形態１の場合と同様である。
【００５４】
つぎに、この実施の形態２に係る三相回路の相名識別システムの使用方法について図面を参照しながら説明する。ここでは、検相用インピーダンス６３の接続点などの検出環境が、実施の形態１の場合と同一であるという前提で話を進める。以下、具体的に説明していく。
【００５５】
図３において、検相用インピーダンス６３の接続点側では、第１の受信機１０２が受信した標準時間電波１０１があらわす時間が接続開始時間になると、そのタイミングで、インピーダンス投入装置１０４を介して検相用インピーダンス６３が配電線Ｆ２１上のある相（例えば、Ａ相）に投入される。ここで接続開始時間というのは、この検相用インピーダンス６３が配電線Ｆ２１上に接続される時間を意味する。以下同じ。
【００５６】
すると、プリント編集装置１０３は、電流測定器１０５が、上述の接続開始時間に検出した相別（例えば、Ａ相，Ｂ相，Ｃ相の別）の電流値、およびその接続時間をデータ編集する。
【００５７】
その後、プリンタ１０６が、上述した相別の電流値を、上述した接続開始時間ごとに記録する。
【００５８】
この記録例を図３に示す。この図３では、記録例２００として、接続開始時間（時刻）ごとに、検相用インピーダンス６３の接続点における相別の電流値（Ｉａ，Ｉｂ，Ｉｃ）が挙げられている。また図３の記録例２００では、中性点の電流値Ｉｎも記録されている。
【００５９】
一方、電気測定器の検出点側では、図４において、電気測定器５１は、第２の受信機１０２からの標準時間電波１０１に基づく特定のタインミングで検相用インピーダンス６３が接続されることにより生じる電気量を検相用インピーダンス６３の接続と同時期に検出する。ここでいう特定のタイミングは、例えば、上述した接続開始時間になったときである。このため、電気測定器５１は、検相用インピーダンス６３の接続と同時期に検出することができる。
【００６０】
そして、プリント編集装置１０３も、第２の受信機１０２が受信した標準時間電波１０１があらわす時間が接続開始時間になると、例えば、電気測定器５１がその接続開始時間に検出した相別の電気量、およびその接続開始時間をデータ編集する。
【００６１】
なお、電気測定器５１が検出した相別の電気量は、上記の実施の形態１の場合と同様、三相回路の相別の電流および力率角である。
【００６２】
そしてその後、プリンタ１０６が、上述した相別の電気量（例えば、電流値および力率角）を、上述した接続開始時間ごとに記録する。
【００６３】
この記録例を図４に示す。この図４では、記録例２０１として、接続開始時間ごとに、相別の電流値（Ｉａ，Ｉｂ，Ｉｃ）および力率角（Θａ，Θｂ，Θｃ）が挙げられている。また図４の記録例２０１では、中性点の電流値Ｉｎも記録されている。
【００６４】
このような検出が他の複数の電気測定器５０、５２、５３、５４についてもおこなわれる。すなわち、複数の電気測定器５０、５１、５２、５３、５４は、第２の受信機１０２からの標準時間電波１０１に基づく特定のタインミングで検相用インピーダンス６３が接続されることにより生じる電気量を検相用インピーダンス６３の接続と同時期に検出する。そして、プリンタ１０６は、複数の電気計測器５０、５１、５２、５３、５４が同時期に検出した複数の検出結果、および特定のタイミングに用いられた標準時間電波があらわす標準時間（接続開始時間）を出力する。このようにして、複数の電気測定器の検出点（複数の第２の位置）の相が、検相用インピーダンス６３の接続点（第１の位置）の相と同相かどうかを識別する。
【００６５】
このように、複数の電気測定器５０、５１、５２、５３、５４の検出、および検相用インピーダンス６３の接続に際し、標準時間電波１０１をそれらのタインミングに利用した。このため、複数の検出点で、検相用インピーダンス６３の接続開始時間ごとに、相別の電気量を検出することができる。つまり、標準時間電波１０１が、測定結果の記録開始の合図である記録測定開始信号（トリガー信号）としての役割を果たすことになる。したがって、複数の電気測定器の検出点（複数の第２の位置）において同時期に電気量を検出することができ、三相回路の相を正確に識別することができる。
【００６６】
しかも、この実施の形態２では、検相用インピーダンス６３の接続点側でも、電流測定器１０５が接続開始時間に電流値を検出した。このため、複数の電気測定器５０、５１、５２、５３、５４の検出点側と上記接続点側の電流値を比較することにより、複数の電気測定器の検出点（複数の第２の位置）の相が、上記接続点（第１の位置）の相と同相かどうかをその場で判定し易くなる。
【００６７】
実施の形態３．
この発明の実施の形態３に係る三相回路の相名識別システムについて図面を参照しながら説明する。図５は、この発明の実施の形態３に係る三相回路の相名識別システムの電気測定器の検出点側の構成を示す図である。図６は、この発明の実施の形態３に係る三相回路の相名識別システムの零相電気量検出装置の構成を示す図である。図７は、この実施の形態３に係る三相回路の相名識別システムにおいて零相電圧を測定のタインミングに用いる場合を説明するための図である。なお、実施の形態１および２と同一符号の部分については、重複説明を適宜省略する。
【００６８】
この発明の実施の形態３に係る三相回路の相名識別システムは、複数の電気測定器５０、５１、５２、５３、５４の測定のタイミングとして、検相用インピーダンス６３を接続したことにより発生する零相電圧又は零相電流を用いるというものである。以下、具体的に説明する。
【００６９】
検相用インピーダンス６３の接続点側では、実施の形態１と同様、検相用インピーダンス６３が、三相交流式配電線Ｆ２１の第１の位置に所定のタイミングで所定の相（例えば、Ａ相）に接続されるようになっている。検相用インピーダンス６３を配電線Ｆ２１に接続する方法は、例えば、実施の形態２の場合と同様、インピーダンス投入装置１０４を介して接続する方法がある。つまり、インピーダンス投入装置１０４が、所定のタイミングで所定の相に検相用インピーダンス６３を接続する。
【００７０】
一方、電気測定器の検出点側では、図５に示すように、出力手段としてのプリント編集装置１０３、および出力手段としてのプリンタ１０６が設けられている。また、この検出点側では、図１に示したように、複数の電気測定器５０、５１、５２、５３、５４が複数の第２の位置に設けられている。さらに、この検出点側では、検相用インピーダンス６３を接続したことにより発生する零相電圧、零相電流の少なくとも一つの電気量を検出する零相電気量検出装置が設けられている。
【００７１】
プリント編集装置１０３は、図５において、検相用インピーダンス６３が接続されたことにより発生する零相電流Ｉｏを入力するようになっている。その他、プリント編集装置１０３およびプリンタ１０６の構成や機能は、実施の形態２の場合とほぼ同様である。
【００７２】
図６は、零相電気量検出装置の構成を示す図である。ここでは、直接接地方式の場合を想定している。図６に示す零相電気量検出装置は、検出回路８１および残留回路８２が設けられている。
【００７３】
検出回路８１は、三相回路の各相の電流を検出するようになっている。残留回路８２には、変流器の残留電流である零相電流Ｉｏがあらわれるようになっている。なお、零相電気量検出装置は、例えば、図１に示した変流器８に設けられている。
【００７４】
つぎに、この実施の形態３に係る三相回路の相名識別システムの使用方法について図面を参照しながら説明する。ここでは、検出環境が、実施の形態１の場合と同一である場合において、検相用インピーダンスの投入者および電気測定器の測定者が、電話で連絡を取りながら、三相回路の相を識別するという前提で話を進める。以下、具体的に説明していく。
【００７５】
図１において、投入者が、検相用インピーダンス６３を所定のタイミングで配電線Ｆ２１上のある相（例えば、Ａ相）に投入する。すると、検相用インピーダンス６３の接続点では、負荷電流が接地線上を流れることとなる。
【００７６】
一方、電気測定器５１の検出点では、図５において、図６に示した零相電気量検出装置の残留回路８２が検出した零相電流Ｉｏをプリント編集装置１０３が入力する。
【００７７】
このように、零相電気量検出装置の残留回路８２に零相電流Ｉｏがあらわれるのは、検相用インピーダンス６３の接続点において流れた負荷電流が残留回路８２へ流れるからである。零相電流Ｉｏがあらわれる時間は、検相用インピーダンス６３を配電線Ｆ２１上に接続した時間とほぼ同一となる。
【００７８】
そうして、その零相電流Ｉｏがあらわれたことを測定者が確認すると、プリンタ１０６の記録の指示をおこなう。すると、プリンタ１０６は、例えば、電気測定器５１が検出した相別の電気量（例えば、電流値および力率角）を記録する。
【００７９】
この場合、記録された電気量は、測定者の指示があった時間における検出結果である。つまり、零相電流Ｉｏが発生した時間の検出結果ということになる。
【００８０】
なお、零相電流Ｉｏの確認は、例えば、その電流値をプリント編集装置１０３の表示画面に表示することによりおこなわれる。
【００８１】
ここでプリンタ１０６の記録例を図５に示す。この図５では、記録例２０２として、零相電流Ｉｏが発生した時刻ごとに、相別の電流値（Ｉａ，Ｉｂ，Ｉｃ）および力率角（Θａ，Θｂ，Θｃ）が挙げられている。なお、図５に示した時刻は、測定者が記入する。
【００８２】
このような検出が他の複数の電気測定器５０、５２、５３、５４についてもおこなわれる。つまり、複数の測定器５０、５１、５２、５３、５４は、零相電気量検出装置が検出した零相電流（電気量）に基づく特定のタイミングで検相用インピーダンス６３が接続されることにより生じる電気量を同時期に検出する。そして、プリンタ１０６は、複数の電気測定器５０、５１、５２、５３、５４が同時期に検出した複数の検出結果を出力する。このようにして、複数の検出点の相が、上記接続点の相と同相かどうかを識別する。
【００８３】
このように、複数の電気測定器５０、５１、５２、５３、５４の検出に際し、検相用インピーダンス６３の接続により発生した零相電流Ｉｏをそのタインミングに利用した。このため、複数の電気測定器の検出点で、検相用インピーダンス６３の接続とほぼ同時期に、相別の電気量を検出することができる。つまり、零相電流Ｉｏが、検出結果の記録開始の合図である記録測定開始信号（トリガー信号）としての役割を果たすことになる。したがって、複数の電気測定器の検出点において同時期に電気量を測定することができ、三相回路の相の識別を正確におこなうことができる。
【００８４】
なお、図６では、各電気測定器５０、５１、５２、５３、５４の検出のタイミングとして、検相用インピーダンスを接続したことにより発生する零相電流Ｉｏを用いた場合で説明した。ただし設備環境に応じて、検相用インピーダンスを接続したことにより発生する零相電圧を用いるようにしてもよい。このようにしても零相電流Ｉｏの場合と同様の効果を得ることができる。
【００８５】
零相電気量検出装置が零相電圧を検出する場合の例を図７に示す。図７では、高抵抗接地方式の場合の接続例が記載されている。これは、例えば、高圧母線５に接続される。そして、検相用インピーダンス６３を接続したことにより発生する零相電圧Ｖｏを零相電気量検出装置が検出し、この零相電圧Ｖｏをプリンタ編集装置１０３が入力するようになっている。この場合、零相電圧Ｖｏを検出のタインミングに利用するのは、零相電流の変化量に比べて、零相電圧の変化量の方が大きくなるからである。
【００８６】
また、実施の形態２では、プリント編集装置１０３が、零相電流Ｉｏを入力する場合で説明したが、例えば、プリンタ１０６が、これを直接入力するようにしてもよい。
【００８７】
実施の形態４．
この発明の実施の形態４に係る三相回路の相名識別システムについて図面を参照しながら説明する。図８は、この発明の実施の形態４に係る三相回路の相名識別システムの電気測定器の検出点側の構成を示す図である。なお、実施の形態１、２および３と同一符号の部分については、重複説明を適宜省略する。
【００８８】
この発明の実施の形態４に係る三相回路の相名識別システムは、検相用インピーダンス６３の接続のタイミングとして標準時間電波１０１を用いる。しかも、複数の電気測定器５０、５１、５２、５３、５４の検出のタイミングとして、標準時間電波１０１および零相電流Ｉｏを用いるというものである。以下、具体的に説明する。
【００８９】
検相用インピーダンス６３の接続点側は、実施の形態２の場合と同様、第１の受信機１０２、プリント編集装置１０３、インピーダンス投入装置１０４、電流測定器１０５、およびプリンタ１０６を設けている（図３）。
【００９０】
一方、電気測定器の検出点側では、実施の形態２の場合と同様、図８において、第２の受信機１０２、プリント編集装置（出力手段）１０３、およびプリンタ（出力手段）１０６を設けている。また、この検出点側では、実施の形態３の場合と同様、図６に示した零相電気量検出装置も設けられている。さらに、この検出点側には、図１に示したように、複数の電気測定器５０、５１、５２、５３、５４が複数の第２の位置に設けられている。
【００９１】
つぎに、この実施の形態４に係る三相回路の相名識別システムの使用方法について図面を参照しながら説明する。ここでは、上述した接続開始時間になると、複数の電気測定器５０、５１、５２、５３、５４が、検相用インピーダンス６３の接続と同時期に電気量を検出する場合で説明する。
【００９２】
図３において、検相用インピーダンス６３の接続点側では、第１の受信機１０２が受信した標準時間電波１０１があらわす時間が接続開始時間になると、その標準時間電波１０１に基づく特定のタイミングで、インピーダンス投入装置１０４が、検相用インピーダンス６３を配電線Ｆ２１のある相（例えば、Ａ相）に投接続する。
【００９３】
すると、プリント編集装置１０３は、電流測定器１０５が、上述の接続開始時間に検出した相別（例えば、Ａ相，Ｂ相，Ｃ相の別）の電流値、およびその接続開始時間をデータ編集する。その後、プリンタ１０６が、上述した相別の電流値を、上述した接続開始時間ごとに記録する（図３）。
【００９４】
一方、電気測定器の測定点側では、第２の受信機１０２が受信した標準時間電波１０１があらわす時間が接続開始時間になると、図６に示した零相電気量検出装置の残留回路８２が、検相用インピーダンス６３が接続されたことにより発生する零相電流Ｉｏを検出する。
【００９５】
また、複数の電気測定器５０、５１、５２、５３、５４は、第２の受信機１０２からの標準時間電波１０１、および零相電気量検出装置の残留回路８２が検出した零相電流Ｉｏの双方に基づく特定のタイミングで、検相用インピーダンス６３が接続されることにより生じる電気量（例えば、電流値および力率角）を検出する。上述した双方に基づく特定のタイミングというのは、上述した標準時間電波１０１があらわす時間が接続開始時間で、かつ、測定者が零相電流Ｉｏを確認したタイミングである。
【００９６】
プリンタ１０６は、プリント編集装置１０３を介して、複数の電気測定器５０、５１、５２、５３、５４が同時期に検出した複数の検出結果（例えば、電流値および力率角）、および上述した接続開始時間を記録（出力）する。
【００９７】
この記録例を図８に示す。図８では、記録例２０３として、接続開始時間ごとに、相別の電気量（例えば、電流値、力率角）が記録されている。なお、図８では、電気測定器５１の検出結果のみが記録されているが、他の電気測定器５０、５２、５３、５４の検出結果も記録される。
【００９８】
プリンタ編集装置１０３は、実施の形態３の場合と同様、上述した接続開始時間に、検相用インピーダンス６３を接続したことによって発生した零相電流Ｉｏを零相電気量検出装置の残留回路８２から入力する。
【００９９】
このようにして、複数の電気測定器の検出点（複数の第２の位置）の相が、上記接続点（第１の位置）の相と同相かどうかを識別する。
【０１００】
このように、複数の電気測定器５０、５１、５２、５３、５４の検出のタイミングとして、標準時間電波１０１および零相電流Ｉｏを用いた。このため、複数の電気測定器の検出点において、標準時間電波をそのタイミングに利用することにより、検相用インピーダンス６３の接続と同時期に電気量を検出することができる。しかも、測定者が、零相電流Ｉｏの有無を確認することができるので、複数の電気測定器が検出した検出結果の信憑性を高めることができる。
【０１０１】
なお、各電気測定器の測定のタイミングとして、零相電圧を用いる場合については図７の場合と同様である（図７）。
【０１０２】
【発明の効果】
この発明は以上説明したように、三相交流式配電線の第１の位置に所定のタイミングで所定の相に接続される検相用インピーダンスと、第１の位置とは異なる三相交流式配電線の第２の位置に接続される複数の電気測定器とを設け、複数の電気測定器が、検相用インピーダンスが接続される前の第１の電気量を検出するとともに、検相用インピーダンスが接続されることにより生じる第２の電気量を検出する。このため、簡易な仕組みで三相回路の相の識別を正確におこなうことができる。
【図面の簡単な説明】
【図１】この発明の実施の形態１に係る三相回路の相名識別システムの構成を示す図である。
【図２】この発明の実施の形態１に係る検相用インピーダンスの具体例を示す図である。
【図３】この発明の実施の形態２に係る三相回路の相名識別システムの検相用インピーダンスの接続点側の構成を示す図である。
【図４】この発明の実施の形態２に係る三相回路の相名識別システムの電気測定器の検出点側の構成を示す図である。
【図５】この発明の実施の形態３に係る三相回路の相名識別システムの電気測定器の検出点側の構成を示す図である。
【図６】この発明の実施の形態３に係る三相回路の相名識別システムの零相電気量検出装置の構成を示す図である。
【図７】この実施の形態３に係る三相回路の相名識別システムにおいて零相電圧を測定のタインミングに用いる場合を説明するための図である。
【図８】この発明の実施の形態４に係る三相回路の相名識別システムの電気測定器の検出点側の構成を示す図である。
【符号の説明】
１  受電線、２  受電遮断器、３  配電用変圧器、４  変圧器２次側遮断器、５  高圧母線、６  計器用変圧器（ＶＴ）、７  配電遮断器（ＦＣＢ）、８  変流器（ＣＴ）、９  保護リレー、１０  計測器、３０  第一線路開閉器、３１  第二線路開閉器、３０１  電源側開閉器、３０２  負荷側開閉器、３０３  計器用変圧器（ＶＴ）、３０４  保護リレー、３０５  計測器、５０、５１、５２、５３、５４  電気測定器、６１  接続導線、６２  開閉器、６３  検相用負荷インピーダンス、１００  受変電設備、１０１  標準時間電波、１０２  受信機、１０３  プリント編集装置、１０４  インピーダンス投入装置、１０５  電流測定器、１０６  プリンタ。
【図１】
2004257795.tif 000003
【図２】
2004257795.tif 000004
【図３】
2004257795.tif 000005
【図４】
2004257795.tif 000006
【図５】
2004257795.tif 000007
【図６】
2004257795.tif 000008
【図７】
2004257795.tif 000009
【図８】
2004257795.tif 000010